【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
打抜刃を有する成形シート打抜型とともに用いられて、複数のトレイを有するシート材から前記複数のトレイを打ち抜くための成形シート打抜用受台であって、
前記複数のトレイに対応して設けられ、前記シート材から前記複数のトレイを打ち抜くときに前記打抜刃に対して前記シート材を介して圧接される刃受面を有する複数の受台ユニットと、
受台側保持基板と、前記受台側保持基板に対して前記複数の受台ユニットのそれぞれを移動可能に保持する受台側保持手段とを有する受台ユニット保持部と、
前記受台側保持基板と前記複数の受台ユニットのそれぞれとの間の摩擦を低減させるための摩擦低減手段と、を備えていることを特徴とする成形シート打抜用受台。
【請求項２】
前記複数の受台ユニットのそれぞれは、前記複数のトレイのそれぞれに対応する受台側台座を有しており、
前記摩擦低減手段は、前記受台側台座に設けられた筒状部と、前記筒状部に収容されたバネと、前記筒状部に出没可能に収容され、前記バネに押されて前記受台側保持基板に当接されるボールとを有することを特徴とする請求項１に記載の成形シート打抜用受台。
【請求項３】
前記複数の受台ユニットのそれぞれは、前記複数のトレイのそれぞれに対応する受台側台座を有しており、
前記摩擦低減手段は、受台側保持基板に設けられた筒状部と、前記筒状部に収容されたバネと、前記筒状部に出没可能に収容され、前記バネに押されて前記受台側台座に当接されるボールとを有することを特徴とする請求項１に記載の成形シート打抜用受台。
【請求項４】
前記複数の受台ユニットのそれぞれは、前記シート材の打ち抜きに際し前記シート材の形状に倣うための倣い部材を有することを特徴とする請求項１ないし３の何れか一項に記載の成形シート打抜用受台。
【請求項５】
前記複数の受台ユニットのそれぞれは、前記刃受面が形成された打抜用面板を有しており、
前記打抜用面板の前記刃受面側とは反対の側には、前記打抜刃が前記シート材を介して前記刃受面に圧接されるに際して前記打抜刃の前記刃受面に対する押圧力を均一化するための弾性シートが設けられている、請求項１ないし４の何れか一項に記載の成形シート打抜用受台。
【請求項６】
請求項１ないし５の何れか一項に記載の成形シート打抜用受台と、打抜刃を有する成形シート打抜型とを備えた成形シート打抜機。
【手続補正２】
【補正対象書類名】明細書
【補正対象項目名】０００８
【補正方法】変更
【補正の内容】
【０００８】
本発明の成形シート打抜用受台は、打抜刃を有する成形シート打抜型とともに用いられて、複数のトレイを有するシート材から前記複数のトレイを打ち抜くための成形シート打抜用受台であって、前記複数のトレイに対応して設けられ、前記シート材から前記複数のトレイを打ち抜くときに前記打抜刃に対して前記シート材を介して圧接される刃受面を有する複数の受台ユニットと、受台側保持基板と、前記受台側保持基板に対して前記複数の受台ユニットのそれぞれを移動可能に保持する受台側保持手段とを有する受台ユニット保持部と、前記受台側保持基板と前記複数の受台ユニットのそれぞれとの間の摩擦を低減させるための摩擦低減手段と、を備えていることを特徴とする。
【手続補正３】
【補正対象書類名】明細書
【補正対象項目名】０００９
【補正方法】変更
【補正の内容】
【０００９】
このように、摩擦低減手段を設けたことにより、受台ユニットは容易に移動することが可能となる。
【手続補正４】
【補正対象書類名】明細書
【補正対象項目名】００１０
【補正方法】変更
【補正の内容】
【００１０】
ここで、摩擦低減手段としては、ボールの転がり摩擦により摩擦を低減するボールプランジャ、フッ素系樹脂やシリコン系樹脂の低摩擦係数を有するシートなどが挙げられる。これらのうち、摩擦低減手段としては、シート材の打ち抜きに際しての押圧力に長期に亘って耐え得るという観点から、ボールプランジャが好ましい。ボールプランジャは、受台ユニット又は受台側保持基板に取り付けて使用することができる。
【手続補正５】
【補正対象書類名】明細書
【補正対象項目名】００２９
【補正方法】変更
【補正の内容】
【００２９】
本実施形態における受台ユニット７０は、木製の受台側台座７７を有し、受台側台座７７の下側には、受台側中間台座７８が重ねられている。受台側中間台座７８の平面視の形状は、トレイ１１の平面視の形状の外周部分に対応して形成されている。受台側中間台座７８の下面には、弾性シート７４を介して打抜用面板７２が設けられている。打抜用面板７２は、後述する打抜刃１２に対するまな板として機能し、打抜刃１２を受ける刃受面７１を有している。打抜刃１２の打抜用面板７２（刃受面７１）への押圧により、シート材１０が押し切られる。弾性シート７４は、打抜刃１２の高さに僅かな誤差が生じている場合にも打抜用面板７２への圧力を均一にし得るように設けられている。受台側中間台座７８、弾性シート７４および受台側台座７７に囲まれた中央部分には、トレイ１１の凹部の形状とほぼ同じ形状の倣い部材７９が設けられており、倣い部材７９は弾性部材８０を介して受台側台座７７に取り付けられている。弾性部材８０を設けたことにより、受台側台座７７はトレイ１１に接する際に上下動が可能となり、更にトレイ１１形状に倣うことにより、受台ユニット７０を移動させることを可能としている。 
【手続補正６】
【補正対象書類名】明細書
【補正対象項目名】００３０
【補正方法】変更
【補正の内容】
【００３０】
図４は図３（ａ）における受台ユニット７０の受台側保持基板７３への取り付け部分近傍の拡大図である。図４に示すように、受台ユニット７０の受台側台座７７には、前述のスタッドボルト１４を通すための取付穴３４が設けられ、スタッドボルト１４と取付穴３４との間には、管状部材３６が緩挿されている。また、受台側台座７７の裏面側には、後述するボールプランジャ４０が埋め込まれ、ボールプランジャ４０のボール４３が受台側台座７７の裏面から突出している。従って、受台側台座７７と受台側保持基板７３との間には、ボール４３により僅かな隙間が生じている。本実施形態では、管状部材３６の内径ｄはスタッドボルト１４の外径δより大きく設定され、管状部材３６の外径ｄ'は取付穴３４の内径Ｄより小さく設定され、更に、管状部材３６の長さＨは、受台側保持基板７３の下面から受台側台座７７の下面までの高さｈより大きく設定されている。従って、スタッドボルト１４の下部にワッシャ３７を介してナット３８を締め付けることにより、管状部材３６が受台側保持基板７３に押圧されて固定されることになる。これにより、受台ユニット７０の受台側台座７７は受台側保持基板７３の面に平行な面内で、ある程度の移動が可能となる。また、ワッシャ３７の直径は取付穴３４の内径Ｄより十分に大きいので、受台ユニット７０がスタッドボルト１４から抜け落ちることはない。本実施形態では、スタッドボルト１４、管状部材３６、ワッシャ３７およびナット３８の全体が、受台側保持基板７３に対して複数の受台ユニット７０のそれぞれを移動可能に保持する受台側保持手段７５であり、受台側保持基板７３および受台側保持手段７５の全体が、受台ユニット保持部７６である。
【手続補正７】
【補正対象書類名】図面
【補正対象項目名】図３
【補正方法】変更
【補正の内容】
【図３】
2012236238.tif 000001